(57)【要約】【課題】  約１８０度に開放する扉を、ハンドルを握ったままで開く。【解決手段】  本体と前面パネルとで構成される筐体内に、給水源に接続されてノズルを備える消火用ホースを備えるとともに、前記前面パネルに扉が配置されている消火栓装置であって、前記扉は、一端に軸機構を有して開放動作するとともに、他端に切欠部を形成して該切欠部に棒状のハンドルを配置している。操作者が、扉の開放動作中の角度に係わらず、ハンドルを握り続けることができる。【選択図】  図１
2010136947.tif 000002
【特許請求の範囲】
【請求項１】
本体と前面パネルとで構成される筐体内に、給水源に接続されてノズルを備える消火用ホースを備えるとともに、前記前面パネルに扉が配置されている消火栓装置であって、
前記扉は、一端に軸機構を有して開放動作するとともに、他端に切欠部を形成して該切欠部に棒状のハンドルを配置していることを特徴とする消火栓装置。
【請求項２】
切欠部の背面側に、前記切欠部を覆う目隠し板が備えられている請求項１の消火栓装置。
【請求項３】
目隠し板が箱状となっている請求項２の消火栓装置。
【発明の詳細な説明】
【技術分野】
【０００１】
この発明は、消火栓装置に関し、とくにトンネル向けの消火栓装置に関する。
【背景技術】
【０００２】
従来のトンネル向けの消火栓装置は、ホース収容部の前面に大きな一枚の前傾式の消火栓扉が設けられていて、その消火栓扉を開放すれば、ホース収容部からホースを引き出したり、収納したりできるようになっている（例えば、特許文献１参照）。
【特許文献１】特開２００１−０９５９４３号公報
【発明の開示】
【発明が解決しようとする課題】
【０００３】
前記のような扉は、前方に約９０度傾動させることで開放するので、開放時には、前方に大きく突出し、作業や通行の邪魔になることがある。そのため、開口度合いが小さくなるが、約半分の扉として、扉の自重で約１８０度に傾動させ、ほぼ垂れ下がり状態にすることもできる。
【０００４】
このとき、扉の前面に設けられたハンドルに手をかけていると、約１８０度の全開状態になるまで、操作者がハンドルを握っていることができない。すなわち、開放動作している扉体の先端部分が腕に当たり、ハンドルを放さなければならない。
【０００５】
こういった状況は、垂れ下がらせる方式の扉だけでなく、横開きに反転するような場合も同様である。
【０００６】
この発明は、約１８０度に反転するように開放する扉を、ハンドルを握ったままで開ききることを目的とするものである。
【課題を解決するための手段】
【０００７】
この発明は、本体と前面パネルとで構成される筐体内に、給水源に接続されてノズルを備える消火用ホースを備えるとともに、前記前面パネルに扉が配置されている消火栓装置であって、前記扉は、一端に軸機構を有して開放動作するとともに、他端に切欠部を形成して該切欠部に棒状のハンドルを配置していることを特徴とするものである。
【０００８】
そして、切欠部の背面側に、前記切欠部を覆う目隠し板が備えられ、その目隠し板が箱状となっているものである。
【発明の効果】
【０００９】
この発明によれば、開放する扉の先端が切り欠かれ、そこに棒状のハンドルを形成しているので、操作者が、扉の開放動作中の角度に係わらず、ハンドルを握り続けることができる。
【００１０】
そして、目隠し板を設けることで、内部を保護し、箱状で切欠部を覆うことで、筐体内部へゴミ等が進入することを防止できる。
【発明を実施するための最良の形態】
【００１１】
実施の形態１
以下、本発明の一実施の形態について説明する。図において、実施の形態１の消火栓装置１００は、消火用ホースを備えている消火栓装置である。この消火栓装置１００は、例えばトンネル内の車道に隣接する監査路上に設置されたり、トンネルの内壁に埋設されて設置されたりするものである。
【００１２】
消火栓装置１００は、図１から図３に示すように、その本体１０の前面に前面パネル２１が設置されて筐体を形成し、その内部に、先端にノズル６０を有するホース５、そのホース５を内巻に収納するホースバケット１２、自動調圧弁２、消火栓弁３、メンテナンス弁６等を備えて図示しない給水源に接続される配管系統４、図示しない消火器を備えている。
【００１３】
本体１０および前面パネル２１は、中央部Ｃ、右側部Ｒおよび左側部Ｌで構成され、図４に示されるように、筐体としての底面１０ｆＣ、１０ｆＲ、１０ｆＬ、背面１０ｂＣ、１０ｂＲ、１０ｂＬおよび上面１０ｓＣ、１０ｓＲ、１０ｓＬが各部を組み合わせて一面となるように構成されている。そして、本体１０の左右側面は、右側部Ｒの右側面１０ｒと、左側部Ｌの左側面１０ｐとなっている。
【００１４】
中央部Ｃ、右側部Ｒおよび左側部Ｌの前方には、それぞれ開口部を有する枠状の前面パネル２１Ｃ、２１Ｒ、２１Ｌが取り付けられていて、その開口部を覆うように、消火栓扉１４、配管扉１５、消火器扉２６がそれぞれに設置されている。
【００１５】
中央部Ｃの開口部には、この発明の扉としての消火栓扉１４とともに消火栓扉１４に連結する着脱板１３が設けられていて、消火栓扉１４は着脱板１３と連結される部分に軸機構である蝶番１４ａを有し、消火栓扉１４の先端を切り欠いて配置した棒状のハンドル４３を手前に引くことで、前方に約１８０度、反転するように開放動作し、着脱板１３の下方にゴム等による当たり部材１３ａが設けられている。
【００１６】
なお、この消火栓扉１４の閉状態は磁石によって維持されているが、ラッチ機構によって閉状態とするようにしてもよい。
【００１７】
そして、消火栓扉１４に連結する着脱板１３は、４隅を前面パネル２１Ｃの図示しない取付穴にねじ止めされて固定されていて、着脱可能であり、消火栓扉１４と一体的に取り外すことが可能となっている。
【００１８】
この消火栓扉１４は、開扉状態での開口部が筐体内のホースバケット１２の大きい開口部の前方に位置され、このホースバケット１２の開口部は上下方向に長く形成されているが、ホース５を引き出す際には、ホースバケット１２の開口部かつ消火栓扉１４による開口部という制限された範囲から引き出されることとなり、ホース５が大きく暴れたり、ホース５が余計に出すぎることが防止される。
【００１９】
ここで、消火栓扉１４のハンドル４３部分について、詳細に説明すると、図５および図６に示されるように、板状の扉体の先端を切り欠いて切欠部４４を形成し、その切欠部４４に棒状のハンドル４３が横方向に設けられている。このハンドル４３の位置は、切欠部４３の中で、ここでは先端側に設置され、切欠部４３を大きくせず、操作するための力が小さくなるようにされている。
【００２０】
そして、ハンドル４３を扉体の先端に位置しているので、その上側に当たる前面パネル２１の開口の辺にも、補助切欠部４５を設けている。すなわち、この補助切欠部４５がなければ、ハンドル４３と前面パネル２１の間に、操作者がハンドル４３を握るための隙間がなく、ハンドルに手をかけられる程度に、前面パネル２１には補助切欠部４５が形成されている。
【００２１】
また、切欠部４４は、筐体にとって開口部となって内部が露出してしまうので、目隠し板４６が設けられていて、目隠し板４６は前面パネル２１に固定されている。そして、目隠し板４６の形状は箱状とされ、切欠部４４を覆ってゴミの進入を防止するため、隙間を空けないようになっている。ここで、補助切欠部４５も切欠部４４と同時に目隠し板４６に覆われている。
【００２２】
また、消火栓扉１４とともに着脱板１３を取り外すことにより、ホースバケット１２の開口部は大きく開口されることとなり、ホース５を収容する際には作業が容易になる。
【００２３】
この消火栓扉１４は、開扉状態での開口部が筐体内のホースバケット１２の大きい開口部の前方に位置され、このホースバケット１２の開口部は上下方向に長く形成されているが、ホース５を引き出す際には、ホースバケット１２の開口部かつ消火栓扉１４による開口部という制限された範囲から引き出されることとなり、ホース５が大きく暴れたり、ホース５が余計に出すぎることが防止される。
【００２４】
また、消火栓扉１４とともに着脱板１３を取り外すことにより、ホースバケット１２の開口部は大きく開口されることとなり、ホース５を収容する際には作業が容易になる。
【００２５】
左側部Ｌの開口部には、消火器扉２６とともに電気機器取付板２８が設けられている。この電気機器取付板２８には、表示灯５５や非常用発信器５６、応答ランプ５７などが取り付けられ、その他、電話ジャック、非常用コンセントなどの電気機器を備えることができる。この取付板２８は、詳細に示さないが、４隅で図示しない取付穴にねじ止めされて固定される。なお、消火器扉２６の内側には、図示しない消火器を配置するための配置スペース２６Ｓがある。
【００２６】
この本体１０の下側には、設置面に固定される架台１１が配置され、図４に示されているように、この架台１１の上面に、筐体を構成する中央部Ｃ、右側部Ｒ、左側部Ｌがそれぞれの底面１０ｆＣ、１０ｆＲ、１０ｆＬでボルト締めにより固定される。この架台１１は、断面略コ字状の鋼材による枠体であるが、その内側に対して必要な補強部材が設けられていて、例えばトンネルの監査路に沿って形成された箱抜き部分のような設置面に対して、アンカーなどで強固に固定される。
【００２７】
つぎに、このような消火栓装置１００の使用方法につき、火災の発生時、ホース５を伸ばしてノズル６０から放水する場合について説明する。
【００２８】
操作者は、まず消火栓扉１４を開けるため、ハンドル４３を握り手前に引くことで、消火栓扉１４が約１８０度手前に倒れて垂れ下がるように開放する。この消火栓扉１４が開放すると、その開口部からノズル６０と開閉レバー３ａが見える。
【００２９】
つぎに、操作者は、ノズル６０をホルダ６０ａから取り外し、開閉レバー３ａを手前に引くことで、図示しないワイヤで結合する消火栓弁３を開放することができ、消火栓弁３の一次側まで来ている給水源から供給される消火水が自動調圧弁２を介してホース５内に流入する。
【００３０】
この状態で、取り外したノズル６０を握りながら、操作者が火災の現場に向うと、ノズル６０に接続されているホース５がホースバケット１２から順次繰り出される。そして、火災の現場に近づき、ノズル６０から消火水を放出して消火活動を行うことができる。
【００３１】
このように使用したホース５を収容する際には、消火栓扉１４に連結される着脱板１３を取り外すことにより、開口部が大きくなって、ホースバケット１２への収容作業が行いやすくなる。
【００３２】
なお、この消火栓装置１００では、消火栓扉１４のみがこの発明を利用する扉とされているが、横開きに開放される消火器扉２６または配管扉１５に適用してもよく、その場合、消火器扉２６のハンドル２６ａまたは配管扉１５のハンドル１５ａの代わりに、消火器扉２６の右端または配管扉１５の左端に切欠部を形成し、その切欠部に棒状のハンドルを縦方向に設ければよい。そして、このハンドルの位置を扉体の端部に設置すると、操作者がハンドルに手をかけられる程度に、切欠部に対向する前面パネル２１等の板面に補助切欠部が必要となる。また、切欠部に目隠し板を設けることが好ましく、内部を露出しないようにするとともに、目隠し板を箱状として、隙間を空けないように切欠部を覆うこともできる。この目隠し板は、前面パネル２１等の板面側に固定され、補助切欠部がある場合には同時に覆い隠すことができる。
【００３３】
このようなハンドルとした場合、消火器扉２６または配管扉１５は、他端の図示しない蝶番による軸機構により左側または右側に横開きで約１８０度、反転するように開放し、ハンドルを握った操作者は、ハンドルを持ったまま、消火器扉２６または配管扉１５を全開するまで開放動作させられるようになる。なお、ここでの軸機構は隠れ蝶番であって、１８０度までは開ききらないが、約９０度以上には開くことができ、略反転状態に開くことになる。
【００３４】
このように、この発明を利用する扉は、消火栓扉１４に限らず、各扉に適用でき、また、軸機構についても、蝶番に限らず軸受け機構などであってもよい。さらに、目隠し板の形状についても、内部が露出しなければ自由である。
【００３５】
以上のように、この実施の形態の消火栓装置１００は、本体１０と前面パネル２１とで構成される筐体内に、給水源に接続されてノズル６０を備えるホース５を備えるとともに、前面パネル２１に扉１４が配置されていて、扉１４は、一端に蝶番１４ａを有して開放動作するとともに、他端に切欠部４４を形成して切欠部４４に棒状のハンドル４３を配置しているので、操作者が、扉１４の開放動作中の角度に係わらず、ハンドル４３を握り続けることができる。
【００３６】
そして、切欠部４４の背面側に、切欠部４４を覆う目隠し板４６が備えられ、筐体の内部を保護し、その目隠し板４６が箱状で切欠部４４を覆うことで、筐体内部へゴミ等が進入することを防止できる。
【図面の簡単な説明】
【００３７】
【図１】この発明の実施の形態１を示す消火栓装置の正面図。
【図２】図１につき、一部を断面にした平面図。
【図３】図１につき、消火栓扉の開放状態での右側面図。
【図４】図１に用いる本体の組み立て方法を示す組立図。
【図５】ハンドル部分の拡大斜視図。
【図６】図５の拡大正面図および拡大断面図。
【符号の説明】
【００３８】
１０  本体、１４  消火栓扉、２１  前面パネル、４３  ハンドル、４４  切欠部、４６  目隠し板、５  ホース、６０  ノズル。
【図１】
2010136947.tif 000003
【図２】
2010136947.tif 000004
【図３】
2010136947.tif 000005
【図４】
2010136947.tif 000006
【図５】
2010136947.tif 000007
【図６】
2010136947.tif 000008